【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】  生物学的および／または化学的成分の混合物の分析方法であって、当該方法は、
−磁性粒子を付着させるための成分または既に磁性粒子に付着している成分を選択することであって、この選択された成分が、被分析物であるか、または分析される混合物中の被分析物の含量を判断することを可能とする別の成分のいずれかである、該選択することと、
−該選択された成分を空間的に配列することと、
−磁性粒子を該選択された成分に付着させることまたは既に磁性粒子に付着している該選択された成分を使用することと、
−該磁性粒子を磁場に曝露することと、
−該磁性粒子の磁場への曝露の結果として該磁性粒子によって生じた磁気誘導による信号を記録することと、
−該信号の値から、分析される混合物中の被分析物の含量を判断することと、を含み、
その特徴が、
−該選択された成分を空間的に配列することが、プローブ容積中でこの成分をグループ分けすることを含み、
−該磁場が交流であり、そのスペクトルが、１つの周波数にて少なくとも１つのスペクトル成分でプリセットされており、
−該信号が、該スペクトル成分の周波数の倍数であるような周波数で記録されていることである、前記方法。
【請求項２】  スペクトル成分の振幅が、磁場の強度に対する磁気誘導の非線形依存性を確保するのに十分な高さであるように選択されることを特徴とする、請求項１に記載の方法。
【請求項３】  −磁場のスペクトルが、２つの異なる周波数にて少なくとも２つのスペクトル成分でプリセットされており、
−信号が、該スペクトル成分の周波数の１つの倍数であるような周波数で記録されていることを特徴とする、請求項１記載の方法。
【請求項４】  生物学的および／または化学的成分の混合物の分析方法であって、当該方法は、
−磁性粒子を付着させるための成分または既に磁性粒子に付着している成分を選択することであって、この選択された成分が、被分析物であるか、または分析される混合物中の被分析物の含量を判断することに関する定量的データを生じることを可能とする別の成分のいずれかである、該選択することと、
−該選択された成分を空間的に配列することと、
−磁性粒子を該選択された成分に付着させることまたは既に磁性粒子に付着している該選択された成分を使用することと、
−該磁性粒子を磁場に曝露することと、
−該磁性粒子の磁場への曝露の結果として該磁性粒子によって生じた磁気誘導による信号を記録することと、
−該信号の値から、分析される混合物中の被分析物の含量を判断することと、を含み、
その特徴が、
−該選択された成分を空間的に配列することが、プローブ容積中でこの成分をグループ分けすることを含み、
−該磁場が交流であり、そのスペクトルが、２つの異なる周波数にて少なくとも２つのスペクトル成分でプリセットされており、
−該信号が、該スペクトル成分の周波数の一次結合であるような周波数で記録されていることである、前記方法。
【請求項５】  スペクトル成分の周波数の一次結合がこれらの周波数の和または差であることを特徴とする、請求項４記載の方法。
【請求項６】  スペクトル成分の周波数の一次結合が、以下の関係によって規定されることを特徴とする、請求項４記載の方法：
ｆｉ＝ｍｆ１＋ｎｆ２
ここで、ｆ1およびｆ2は、磁場のスペクトル成分の周波数であり、ｎおよびｍは０以外の正または負の整数である。
【請求項７】  ｍが１であり、かつ、ｎが２または−２である、請求項６記載の方法。
【請求項８】  スペクトル成分の少なくとも１つの振幅が、磁場の強度に対する磁気誘導の非線形依存性を確保するのに十分な高さであるように選択されることを特徴とする、請求項３〜７のいずれか１項に記載の方法。
【請求項９】  スペクトル成分の振幅ＡhおよびＡlが、それぞれ、より高い周波数およびより低い周波数に関係し、Ａl/Ａh＞２という関係に従って選択されることを特徴とする、請求項３〜８のいずれか１項に記載の方法。
【請求項１０】  少なくとも２つのスペクトル成分に関係する磁場強度ベクトルが互いに非共線的に配向していることを特徴とする、請求項３〜９のいずれか１項に記載の方法。
【請求項１１】  磁性粒子が軟磁性材料から作製されていることを特徴とする、請求項１〜１０のいずれか１項に記載の方法。
【請求項１２】  磁性粒子が超常磁性であることを特徴とする、請求項１〜１１のいずれか１項に記載の方法。
【請求項１３】  プローブ容積中で作用表面が形成されており、選択された成分が、この成分を該作用表面に結合することによって空間的に配列されていることを特徴とする、請求項１〜１２のいずれか１項に記載の方法。
【請求項１４】  プローブ容積に微粒子を充填することによって作用表面が形成されていることを特徴とする、請求項１３記載の方法。
【請求項１５】  微粒子がポリエチレンから作製されていることを特徴とする、請求項１４記載の方法。
【請求項１６】  微粒子が、ガンマ放射線で安定化されたポリエチレンから低圧下で作製されていることを特徴とする、請求項１５記載の方法。
【請求項１７】  プローブ容積にキャピラリー−多孔性構造を充填することによって作用表面が形成されていることを特徴とする、請求項１３記載の方法。
【請求項１８】  作用表面が、ストリップまたは管の形態のキャピラリー−多孔性材料でプローブ容積を充填することによって形成されていることを特徴とする、請求項１３記載の装置。
【請求項１９】  作用表面がその上に試薬を固定することで形成されており、該試薬が選択的様式で被分析物を結合することができ、選択された成分がこの試薬を介して該作用表面に結合していることを特徴とする、請求項１３〜１８のいずれか１項に記載の方法。
【請求項２０】  プローブ容積が数個の空間的に分離した領域から形成されており、該領域のそれぞれについて、信号を記録する可能性が確保されていることを特徴とする、請求項１〜１９のいずれか１項に記載の方法。
【請求項２１】  領域中に作用表面が形成されており、この作用表面上に種々の試薬が固定されており、該試薬が種々の被分析物を選択的に結合することができ、選択された成分が該試薬を介して該作用表面に結合しており、数個の該領域のそれぞれについて信号を記録することから、分析される混合物中の数個の被分析物の含量に関する情報が得られていることを特徴とする、請求項２０記載の方法。
【請求項２２】  領域が、反応セルの二次元配列として、またはタイタープレートとして形成されていることを特徴とする、請求項２１記載の方法。
【請求項２３】  グループ分けすることが、不均一な磁場への曝露によって行われることを特徴とする、請求項１〜２２のいずれか１項に記載の方法。
【請求項２４】  グループ分けすることが、濾過または沈降によって行われることを特徴とする、請求項１〜２２のいずれか１項に記載の方法。
【請求項２５】  記録された周波数の高調波にて基準信号を発生させることが導入されており、この基準信号が、記録される信号のロックイン濾過および選び出しのために使用されることを特徴とする、請求項１〜２４のいずれか１項に記載の装置。
【請求項２６】  生物学的および／または化学的成分の混合物の分析のための装置であって、該成分の少なくとも１つは磁性粒子に付着しており、
当該装置は、
−プローブ容積と、
−磁場発生器であって、該プローブ容積中で、１つの周波数にて少なくとも１つのスペクトル成分でプリセットされた交流磁場を誘導するよう適合している、該磁場発生器と、
−測定手段であって、該交流磁場のスペクトル成分の周波数の倍数である選び出された周波数にて、該プローブ容積内の磁性粒子によって生じる磁場誘導を測定することによって、該プローブ容積内の磁性粒子を定量するよう適合している、該測定手段と、
を含む、前記装置。
【請求項２７】  −磁場発生器が、プローブ容積中で、２つの異なる周波数にて少なくとも２つのスペクトル成分でプリセットされた磁場を誘導するよう適合しており、
−測定手段が、該スペクトル成分の周波数の１つの倍数である選び出された周波数にて、該プローブ容積内の磁性粒子によって生じる磁場誘導を測定することによって、該プローブ容積内の磁性粒子を定量するよう適合していることを特徴とする、請求項２６記載の装置。
【請求項２８】  生物学的および／または化学的成分の混合物の分析のための装置であって、該成分の少なくとも１つは磁性粒子に付着しており、
当該装置は、
−プローブ容積と、
−磁場発生器であって、該プローブ容積中で、２つの異なる周波数にて少なくとも２つのスペクトル成分でプリセットされた磁場を誘導するよう適合している、該磁場発生器と、
−測定手段であって、該スペクトル成分の周波数の一次結合である選び出された周波数にて、該プローブ容積内の磁性粒子によって生じる磁場誘導を測定することによって、該プローブ容積内の磁性粒子を定量するよう適合している、該測定手段と、
を含む、前記装置。
【請求項２９】  スペクトル成分の周波数の一次結合がこれらの周波数の和または差であることを特徴とする、請求項２８記載の装置。
【請求項３０】  スペクトル成分の周波数の一次結合が、以下の関係によって規定されることを特徴とする、請求項２８記載の装置：
ｆｉ＝ｍｆ１＋ｎｆ２
ここで、ｆ1およびｆ2は、磁場のスペクトル成分の周波数であり、ｎおよびｍは０以外の正または負の整数である。
【請求項３１】  ｍが１であり、かつ、ｎが２または−２である、請求項３０記載の装置。
【請求項３２】  磁場発生器が、プローブ容積中で磁場を誘導し、磁性粒子が該磁場に対して非線形の応答を有するように適合していることを特徴とする、請求項２６〜３１のいずれか１項に記載の装置。
【請求項３３】  測定手段が、
−磁性粒子によって生じた磁気誘導のメーターと、
−出力信号受信器と、
−無線周波数フィルターであって、その入力が該磁気誘導メーターの出力に接続されており、該フィルターの出力が該出力信号受信器に接続されており、該フィルターが選び出された周波数で信号を通すように調整されている、該無線周波数フィルターと、
−結果を生じるブロックであって、その入力が該出力信号受信器の出力に接続されている、該ブロックと、
を含むことを特徴とする、請求項２６〜３２のいずれか１項に記載の装置。
【請求項３４】  磁場発生器が、その出力信号の周波数スペクトルを１つの周波数にて少なくとも１つのスペクトル成分でプリセットできるよう作製された交流（ａｃ）発生器と、該ａｃ発生器の出力に接続された誘導ブロックとを含み、該誘導ブロックの出力が該磁場発生器の出力であることを特徴とする、請求項２６〜３３のいずれか１項に記載の装置。
【請求項３５】  誘導ブロックが磁気誘導メーターとして働くことを特徴とする、請求項３３または３４記載の装置。
【請求項３６】  誘導ブロックが、コアのないインダクタンスコイルとして作製されており、該コイルの第１のリード線がａｃ発生器の出力に接続されており、第２のリード線がシャシに接続されていることを特徴とする、請求項３４または３５記載の装置。
【請求項３７】  誘導ブロックが、コアのない２つのインダクタンスコイルを含み、該コイルの第１のリード線が、それぞれａｃ発生器の第１および第２の出力に接続されており、該コイルの第２のリード線がシャシに接続されており、そしてさらに、該コイルの１つの第１のリード線が無線周波数フィルターの入力に接続されていることを特徴とする、請求項３３、３４または３５記載の装置。
【請求項３８】  コイルの軸が互いに対して傾いていることを特徴とする、請求項３７記載の装置。
【請求項３９】  コイルの軸間の角度が９０°であることを特徴とする、請求項３８記載の装置。
【請求項４０】  ａｃ発生器の出力の１つとコイルの１つの関連する第１のリード線との間に位相調整器が挿入されており、該位相調整器には、このコイルの軸と他のコイルの軸とで作られる角度に対してデータを入力するための制御入力が備えられていることを特徴とする、請求項３７記載の装置。
【請求項４１】  磁気誘導メーターがコアのない誘導素子を含み、該素子が磁場発生器の一部ではないことを特徴とする、請求項３３または３４記載の装置。
【請求項４２】  磁気誘導メーターが磁気抵抗（磁気インピーダンス）感応素子を含むことを特徴とする、請求項３３〜４０のいずれか１項に記載の装置。
【請求項４３】  磁気誘導メーターがホール効果に基づく感応素子を含むことを特徴とする、請求項３３〜４０のいずれか１項に記載の装置。
【請求項４４】  磁気誘導メーターが平面状マイクロエレクトロニクス構造として作製されていることを特徴とする、請求項３３〜４０のいずれか１項に記載の装置。
【請求項４５】  無線周波数フィルターが、選び出された周波数に最も近いスペクトル成分の周波数の信号を排除する特性を有することを特徴とする、請求項３３〜４４のいずれか１項に記載の装置。
【請求項４６】  無線周波数フィルターが、選び出された周波数に最も近いスペクトル成分の周波数の信号を拒絶する性質を有し、さらに、該無線周波数フィルターが制御可能であり、該無線周波数フィルターの制御入力がａｃ発生器の制御出力に接続されていることを特徴とする、請求項３３〜４５のいずれか１項に記載の装置。
【請求項４７】  基準信号発生器が挿入されており、該信号発生器が、その入力を介してａｃ発生器の出力に、第２の制御入力を介して出力信号受信器の出力に、およびその出力を介して無線周波数フィルターの第２の入力に接続されており、該フィルターがロックインされていることを特徴とする、請求項３３〜４６のいずれか１項に記載の装置。
【請求項４８】  基準信号発生器が挿入されており、該基準信号発生器の出力が、ロックインフィルターの入力に接続されており、該基準信号発生器が記録された周波数にて高調波信号を生じ、該フィルターが増倍器として作製されていることを特徴とする、請求項３３〜４６のいずれか１項に記載の装置。
【請求項４９】  制御ブロックが挿入されており、その第１および第２の出力が、それぞれａｃ発生器および無線周波数フィルターの制御入力に接続されており、その入力が出力信号受信器の制御出力に接続されていることを特徴とする、請求項３３〜４８のいずれか１項に記載の装置。
【請求項５０】  基準信号発生器および出力信号受信器が演算処理装置として作製されていることを特徴とする、請求項４７記載の装置。
【請求項５１】  基準信号発生器、出力信号受信器、およびａｃ発生器が演算処理装置として作製されていることを特徴とする、請求項４７記載の装置。
【請求項５２】  プローブ容積が数個の空間的に分離した領域からなり、これらの領域のそれぞれには、別個の測定手段が備えられていることを特徴とする、請求項２６〜５１のいずれか１項に記載の装置。
【請求項５３】  プローブ容積が、数個の空間的に分離した領域からなり、かつ、測定手段が、該領域を連続的に試験することができるように作製されていることを特徴とする、請求項２６〜５１のいずれか１項に記載の装置。
【請求項５４】  ａｃ発生器および出力信号受信器が演算処理装置として作製されていることを特徴とする、請求項３３または３４記載の装置。
【請求項５５】  プローブ容積中に分析される生物学的および／または化学的混合物を含み、該混合物の選択された成分が、所定の様式で空間的に配列されており、かつ、磁性粒子に直接にまたは中間物質を介して付着していることを特徴とする、請求項２４〜５４のいずれか１項に記載の装置。
【請求項５６】  磁性粒子が軟磁性材料から作製されていることを特徴とする、請求項５５記載の装置。
【請求項５７】  磁性粒子が超常磁性であることを特徴とする、請求項５５または５６記載の方法。
【請求項５８】  プローブ容積中で作用表面が形成されており、分析される混合物の選択された成分が該表面に結合しており、磁性粒子がこの成分に付着していることを特徴とする、請求項５５〜５７のいずれか１項に記載の装置。
【請求項５９】  作用表面が微粒子を充填したプローブ容積中に形成されていることを特徴とする、請求項５８記載の装置。
【請求項６０】  微粒子がポリエチレンから作製されていることを特徴とする、請求項５９記載の装置。
【請求項６１】  微粒子が、ガンマ放射線で安定化されたポリエチレンから低圧下で製造されていることを特徴とする、請求項６０記載の装置。
【請求項６２】  作用表面がキャピラリー−多孔性構造を充填したプローブ容積中に形成されていることを特徴とする、請求項５８記載の装置。
【請求項６３】  作用表面上に試薬が固定されており、該試薬が被分析物に選択的に結合することができ、分析される混合物の選択された成分が、該試薬に結合しており、かつこの試薬を介して該作用表面に結合していることを特徴とする、請求項５８〜６２のいずれか１項に記載の装置。